(57)【要約】【課題】或る程度の強度を備えるとと共に、紙粉が粘着剤に付着しないような便座カバー用ペーパーを得ることに加え、度重なる便座カバーとの接触によっても長期にわたって粘着力が低下せず、且つ、利用者の臀部と粘着部材とが接触した際の異物感を払拭し得るような粘着部材を、安価にて提供すること。【解決手段】坪量が１５ｇ／平方メートル乃至２５ｇ／平方メートル、厚さが０．０２５ｍｍ乃至０．０５５ｍｍの水溶性用紙を用い、その表面又は裏面若しくはその双方にポロビニルアルコール又は澱粉のり等の表面平滑剤が塗布又は吹付けられている便座カバー用ペーパーと、該ペーパーを用いた便座カバーを粘着するための粘着部材１は、便座カバーとの接触部２にはアクリル系又はシリコン系若しくはゴム系の粘着エラストマーからなる粘着剤９が取り付けられており、便座又は便座シート３との対向部側には、便座又は便座シート３若しくはこれらに埋設された台座５内への挿入又は捩じ込みにより取り付けられる支持部６が設けられている。【選択図】　　　　図１
2004016699.tif 000002
【特許請求の範囲】
【請求項１】
便器の使用に際して、便座又は便座シートの上部にセットされる便座カバー用ペーパーであって、坪量が１５ｇ／平方メートル乃至２５ｇ／平方メートル、厚さが０．０２５ｍｍ乃至０．０５５ｍｍの水溶性用紙を用い、その表面又は裏面若しくはその双方に表面平滑剤が塗布又は吹付けられていることを特徴とする便座カバー用ペーパー。
【請求項２】
前記表面平滑剤はポリビニルアルコールであり、その水溶液濃度が１．５％乃至３０％で、前記水溶性用紙の表面又は裏面若しくはその双方への塗布量又は吹付け量が０．１ｇ／平方メートル乃至３．０ｇ／平方メートルであることを特徴とする請求項１記載の便座カバー用ペーパー。
【請求項３】
前記表面平滑剤は澱粉のりであり、その水溶液濃度が２．０％乃至４０％で、前記水溶性用紙の表面又は裏面若しくはその双方への塗布量又は吹付け量が２．０ｇ／平方メートル乃至１０．０ｇ／平方メートルであることを特徴とする請求項１記載の便座カバー用ペーパー。
【請求項４】
便座カバーが粘着されるよう、便座又は便座シートの座面上に設けられた粘着部材であって、便座カバーとの接触部にはアクリル系又はシリコン系若しくはゴム系の粘着エラストマーからなる粘着剤が取り付けられており、便座又は便座シートとの対向部には、便座又は便座シート若しくはこれらに埋設された台座内への挿入又は捩じ込みにより取り付けられる支持部が設けられていることを特徴とする便座カバー用の粘着部材。
【請求項５】
前記便座又は便座シート若しくはこれらに埋設された台座内には、バネ又はゴム若しくはスポンジ等の反撥体が設けられており、前記支持部又はその底部がその反撥力を受けて、常に全体が前記接触部方向に付勢するよう取り付けられていることを特徴とする請求項４記載の便座カバー用の粘着部材。
【発明の詳細な説明】
【０００１】
【発明が属する技術分野】
本発明は、便器の使用に際して、便座又は便座シートを開閉させることで、自動的にその上部にセットされる便座カバー用のペーパー及びその粘着部材に関する。
【０００２】
【従来の技術】
昨今、我が国でも腰掛け式便器が普通一般に用いられるようになっているが、腰掛け式便器は間接的とはいえ、便座を介して肌と肌とが接触するため、不快感や不潔感は否めなかった。また現に、排便に際して汚物が便座上に付着することもあり、たとえその後汚物を拭ったとしても、不潔極まりないことに変わりはない。このような不快感や不潔感を回避するため、実用新案登録第３０１３４７７号公報に記載される「便座カバーシート自動装着装置」や実用新案登録第３０７２６４８号公報に記載される「便座シート及びその保持構造並びにその保持構造を備えた便器用上蓋」など、利用に際して便座上に自動的にカバーを装着し得る装置が開発されているが、本発明は特に、出願人が開発し、実願２００２−２１７１号として出願した「便座カバー機構」において、特に有効に機能する便座カバー用のペーパー及びその粘着部材を提供するために開発されたものである。
【０００３】
実願２００２−２１７１号の「便座カバー機構」では、カセットに収納される複数の便座カバーと、便座又は便座シート上に設けられた粘着ボタンとが、便座又は便座シートの開閉により接触することで、粘着ボタンにより便座カバーがカセット内から引き出されるようになっている。しかしながら、粘着の度に粘着ボタンに便座カバーの紙粉が付着し、また、埃等が付着することで、粘着ボタンの粘着力が早期に低下してしまうといった問題点があった。
【０００４】
また、粘着ボタンは、便座カバーと接触し易くするため、その粘着部が便座又は便座シートよりも少し高くなるよう取り付けられるが、その結果、利用者がその上部に座った際に異物感を感ずることがあるほか、度重なる利用により、粘着ボタンが便座又は便座シートから外れ易くなるなどの問題点があった。
【０００５】
【発明が解決しようとする課題】
そこで、本発明は、或る程度の強度を備えるとと共に、紙粉が粘着剤に付着しないような便座カバー用ペーパーを得ることに加え、度重なる便座カバーとの接触によっても長期にわたって粘着力が低下せず、且つ、利用者の臀部と粘着部材とが接触した際の異物感を払拭し得るような粘着部材を、安価にて提供することを課題として、開発されたものである。
【０００６】
【課題を解決するための手段】
本発明は、粘着部材による便座カバーの粘着力を持続させるとの課題を解決するため、以下の解決手段を提案する。すなわち、
便器の使用に際して、便座又は便座シートの上部にセットされる便座カバー用ペーパーであって、坪量が１５ｇ／平方メートル乃至２５ｇ／平方メートル、厚さが０．０２５ｍｍ乃至０．０５５ｍｍの水溶性用紙を用い、その表面又は裏面若しくはその双方に表面平滑剤が塗布又は吹付けられている便座カバー用ペーパー（請求項１）。
【０００７】
請求項１記載の発明において、前記表面平滑剤はポリビニルアルコールであり、その水溶液濃度が１．５％乃至３０％で、前記水溶性用紙の表面又は裏面若しくはその双方への塗布量又は吹付け量が０．１ｇ／平方メートル乃至３．０ｇ／平方メートルである便座カバー用ペーパー（請求項２）。
【０００８】
請求項１記載の発明において、前記表面平滑剤は澱粉のりであり、その水溶液濃度が２．０％乃至４０％で、前記水溶性用紙の表面又は裏面若しくはその双方への塗布量又は吹付け量が２．０ｇ／平方メートル乃至１０．０ｇ／平方メートルである便座カバー用ペーパー（請求項３）。
【０００９】
本発明はまた、前記課題に加え、粘着部材が外れ難くするとの課題を解決するため、以下の解決手段を提案する。すなわち、
便座カバーが粘着されるよう、便座又は便座シートの座面上に設けられた粘着部材であって、便座カバーとの接触部にはアクリル系又はシリコン系若しくはゴム系の粘着エラストマーからなる粘着剤が取り付けられており、便座又は便座シートとの対向部側には、便座又は便座シート若しくはこれらに埋設された台座内への挿入又は捩じ込みにより取り付けられる支持部が設けられている便座カバー用の粘着部材（請求項４）。
【００１０】
本発明は更に、便座や便座シートに座した際の異物感を解消するとの課題を解決するため、以下の解決手段を提案する。すなわち、
請求項４記載の発明において、前記便座又は便座シート若しくはこれらに埋設された台座内には、バネ又はゴム若しくはスポンジ等の反撥体が設けられており、前記支持部又はその底部がその反撥力を受けて、常に全体が前記接触部方向に付勢するよう取り付けられている便座カバー用の粘着部材（請求項５）。
【００１１】
【発明の実施の形態】
本発明では、粘着部材の粘着力を長期に持続させるとの目的を、便座カバーに用いられるペーパーへの平滑化加工及び粘着部への粘着エラストマーの採用により実現すると共に、粘着部材を外れ難くし、座した際の違和感を解消するとの目的を、簡単な粘着部材の支持部の便座等への取り付け構造により実現した。
【００１２】
【実施例】
本発明は、便座又は便座シートの上げ下げにより、自動的に便座又は便座シート上に便座カバーがセットされる便座機構において利用される便座カバー用ペーパーとその粘着部材に関し、便座カバーのセットは、便座又は便座シートを上げた際に、その座面に設けられた粘着部材が、便蓋側に設けられたカセット内に収納される便座カバーを粘着し、便座又は便座シートを下げることで、これに伴ってカセット内から便座カバーが引き出され、便座又は便座シートを完全に下げ終えた時点では、その座面を便座カバーが被うという一連の動作において行われる。それがため、度重なる利用によっても粘着力が持続され、確実に便座又は便座シートの座面に便座カバーがセットされる必要があり、その課題の解決を便座カバー用のペーパーとその粘着部材の開発に求めた。
【００１３】
先ず、粘着剤による便座カバーの粘着性を検証するため、試作段階で発明者が後述する粘着部材を用いて実験を行ったところ、前記粘着部材が十分な粘着性能を維持できたのが、市販の普通紙で約１５０枚、上質紙では約５００枚となり、上質紙が普通紙の３倍以上の粘着力を維持できることが判った。粘着部材の粘着性能は、度重なる便座カバーの粘着による、紙粉やほこりの付着の程度によって上下するが、普通紙の場合、上質紙よりも紙質が粗いため、紙粉の付着率が高くなり、それが粘着部材の粘着性能の低下を誘発する原因となっている。しかしながら、上質紙で約５００枚ほど粘着できるとはいえ、現実の場面では湿度や人が座った際に付着する汗などの諸条件にも影響され、有効粘着可能枚数はこれより低下することが予測され、また、利用頻度の高いトイレでは、数日で粘着部材を交換しなければならなくなる虞があるため、より一層の粘着性能を有する便座カバー用ペーパーと粘着部材を得ることが望ましい。
【００１４】
そこで、本発明に係る便座カバー用ペーパーでは、坪量が１５ｇ平方メートル乃至２５ｇ／平方メートル、厚さが０．０２５ｍｍ乃至０．０５５ｍｍの水溶性用紙を用い、その表面又は裏面若しくはその双方に、表面平滑剤を塗布又は吹付けたもの（請求項１）を採用することとした。更に、前記表面平滑剤が塗布又は吹付けられる場合において、該表面平滑剤がポリビニルアルコールであるときは、その水溶液濃度が１．５％乃至３０％で、前記水溶性用紙の表面又は裏面若しくはその双方への塗布量又は吹付け量が０．１ｇ／平方メートル乃至３．０ｇ／平方メートルであるもの（請求項２）と、前記表面平滑剤が澱粉のりであるときは、その水溶液濃度が２．０％乃至４０％で、前記水溶性用紙の表面又は裏面若しくはその双方への塗布量又は吹付け量が２．０ｇ／平方メートル乃至１０．０ｇ／平方メートルであるもの（請求項３）を採用することとした。
【００１５】
先ず、坪量が１５ｇ／平方メートル乃至２５ｇ／平方メートル、厚さが０．０２５ｍｍ乃至０．０５５ｍｍの水溶性用紙を採用したことは、使用後にはこれをトイレットペーパーと共に水洗廃棄し得ると同時に、このペーパーを用いた便座カバーをカセット内から引き出す際に容易に破損しない程度の強度を備えたペーパーであることを意味する。なお、本発明では、前記水溶性用紙の表面又は裏面若しくはその双方に表面平滑剤を塗布又は吹付けたものの採用を予定するが、ペーパーを漉く段階で予めこれを混入させることも可能な実施形態であることが判明している。しかしながら、発明者による実験の結果、便座カバー用ペーパーの後述する粘着部材への貼付可能枚数は、使用される表面平滑剤の質と量が同一であれば、塗布又は吹付けの場合が漉く段階での混入の場合の３〜４倍にも達することが判明し、同等の効果を得るためには大量の表面平滑剤を混入する必要があることから、コストの点で現実味は薄いという結果を得た。また、大量の表面平滑剤の混入により、ペーパーが必要以上に硬化したり厚くなってしまうといった問題点もある。そのため、混入により同等の効果を有するペーパーを製造することは可能であるが、現時点では、塗布又は吹付けによる表面平滑剤の塗工による効果を越えることは難しいとの結論を得た。
【００１６】
次に、前記水溶性用紙に表面平滑剤を塗布し又は吹付けの具体例について説明する。以下は、ポリビニルアルコールを表面平滑剤として用い、これを水溶性用紙に塗布した場合の、水溶性濃度及び塗布量に応じた粘着可能枚数の実験結果を示す図表である。乾燥条件は７０℃×２ｍｉｎである。なお、図表中「ＰＶＡ」は「ポリビニルアルコール」を意味する。
【００１７】
【表１】
2004016699.tif 000003
【００１８】
このように、ポリビニルアルコールの水溶液濃度が２．９％で塗布量が０．２ｇ／平方メートルである場合に２，０４０枚であった粘着可能枚数が、前者を７，３％で後者を０．５ｇ／平方メートルとした場合は２，８００枚、前者を１４．６％で後者を１．０ｇ／平方メートルとした場合は６，６００枚、前者を２１．９％で後者を１．５ｇ／平方メートルとした場合は１０，７００枚と、ポリビニルアルコールの濃度と塗布量に伴って便座カバーの粘着可能枚数が増減することが判明した。粘着部材による便座カバーの粘着が不可能となった場合は、粘着部材を新しいものと交換する必要があるが、現実の使用では、人の汗や埃などの付着によりその粘着効果が予想以上に早く落ちることが予測されるため、１つの粘着部材による便座カバーの粘着可能枚数は３，０００乃至７，０００枚が一応の目安とされる。このことから、使用頻度に応じて前記数値を更に増減する場面を想定し、ポリビニルアルコールの水溶液濃度を１．５％乃至３０％、前記水溶性用紙の表面又は裏面若しくはその双方への塗布量又は吹付け量を０．１ｇ／平方メートル乃至３．０ｇ／平方メートルとした便座カバー用ペーパーを得るのが望ましいとの結論に達した。
【００１９】
本発明ではまた、表面平滑剤としてポリビニルアルコールに代えて澱粉のりを用いても良い。以下は、前記したと同じ水溶性用紙を用い、これに澱粉のりを塗布した場合の実験結果を示す図表である。
【００２０】
【表２】
2004016699.tif 000004
【００２１】
このように、表面平滑剤を澱粉のりとした場合、澱粉のりの水溶液濃度が５．０％、塗布量が３．０ｇ／平方メートルで粘着可能枚数が５７０枚、前者を変えずに塗布量を６．０ｇ／平方メートルとした場合は１，０００枚であるから、ポリビニルアルコールと比較すると粘着部材への粘着可能枚数が著しく減少するが、環境や人体への悪影響がないことから、澱粉のりの水溶液濃度を高め、塗布量又は吹付け量を増加することで、ポリビニルアルコールを用いた場合に近い粘着可能枚数が得られるようにしても良い。この実験結果から、水溶液濃度を２．０％乃至４０％とし、前記水溶性用紙の表面又は裏面若しくはその双方への塗布量又は吹付け量を２．０ｇ／平方メートル乃至１０．０ｇ／平方メートルとすることで、５００枚程度から６，０００枚ほどの粘着可能枚数となる便座カバー用ペーパーを製造することが可能であり、ポリビニルアルコールに代えて澱粉のりを表面平滑剤に使用し得ることが実証された。
【００２２】
次に、前説示した便座カバー用ペーパーにより製造された便座カバーを粘着するに適した粘着部材について説明する。本発明に係る便座カバー用ペーパーは前記した水溶性用紙への表面平滑剤の塗布又は吹付け処理により、その表面又は裏面若しくはその双方が平滑化されているため、粘着剤を選ばず、高い粘着性能が得られるようになっている。そのため、例えば、市販の両面接着テープを用いた場合でも、剥離した際の紙粉の付着を大幅に抑制することができるが、接着性が強いため、剥離する際に便座カバーが破損してしまうといった問題点がある。すなわち、本発明の粘着部材で求められる粘着剤は、接触により仮止めし得る仮接着性と、繰り返し粘着し得る再剥離性とを必要とするが、完全なる接着性は要しない。
【００２３】
このような性質を満たす素材として、長大な分子鎖が複雑に絡み合った分子構造を有するエラストマーが適していることから、本発明の粘着部材に設けられる粘着剤にはアクリル系又はシリコン系若しくはゴム系の粘着エラストマーが採用される。それにより、便座カバーとの接触によりこれを仮止めしてカセット内から取り出し、また、使用後には便座カバーを破損することなく剥離し、その後も繰り返し便座カバーを粘着することが可能となる。
【００２４】
本発明で採用される粘着部材１は通常、図１に示すとおり、便座又は便座シート３の座面４上に設けられており、便座カバーとの接触部２は便座カバーとの面接触が可能となるよう、平面状に形成されている。なお、図示した実施例では、接触部２の中央には粘着剤９を貼付するための窪みが形成されている。また、平面から見た接触部２の輪郭形状については、円形、星型、角型などいかなるものでも構わない。粘着部材１の便座又は便座シート３と向き合う対向部側には、便座又は便座シート３若しくはこれらに埋設された台座５内に挿入し又は捩じ込まれることで、粘着部材１を脱着可能に固定するための支持部６が設けられている。粘着部材１はその固定が確実に行われるよう、支持部６には複数の溝７が形成されていることが望ましい。図１に示す実施例では、粘着部材１はその支持部６を便座又は便座シート３に埋設された台座５内に挿入又は捩じ込むよう構成されており、粘着性能が低下した際にこれを台座５から取り外して、新たな粘着部材と交換できるよう、ドライバーの先端部などを差し込める溝部８が形成されている。なお、粘着部材が回転して外れ易くならないよう、支持部６は円柱状よりも四角柱状に形成されていることが望ましい。如上の構成とした結果、粘着部材が便座又は便座シートに確実に取り付けられ、また、容易に交換することができる。
【００２５】
粘着部材１は前記したとおり構成されており、粘着エラストマーからなる前記粘着剤９は、便座又は便座シート３をカセット（図示しない）側に持ち上げることで便座カバーと接触する平面状の接触部２上に取り付けられている。図示した実施例では、前記したとおり、接触部２の中央に窪みが形成されており、その部分に粘着剤９が貼付されている。粘着剤９は便座カバーとの面接触が可能となるよう、平板なシール状に成形されていることが望ましい。なお、現実に実施される場面では、カセット（図示しない）内に収納される便座カバーが確実に取り出されるようにするため、便座又は便座シート３上の複数の位置に粘着部材を設け、各ポイント毎に便座カバーが仮止めされるようにすることで、便座カバーが確実にカセットから引き出されるようにすることが望ましい。
【００２６】
本発明の粘着部材はまた、前記した構成のもののほか、利用者が便座又は便座シートに座った際に、これが臀部と当接することで与える異物感を和らげるため、上下動し得るようにし、利用者が便座又は便座シートの粘着部材上に座した場合に、それが下降して便座又は便座シート若しくは台座の上部とほぼ同一平面となるようにした粘着部材についても、その採用を予定している。図２は上下動が可能な粘着部材の一実施例を示すもので、台座１０は内部が中空となっており、粘着部材１１は該中空部内に上下動可能な状態で嵌装されている。台座１０の中空底部には、粘着部材１１の支持部１２と当接して、粘着部材１１の上下動を制御する突起状の受部１３が上下動可能に設けられている。更に、台座１０の中空底部には、粘着部材１１の一部と当接して、これを常に接触部１６の方向に付勢するためのバネ１４が取り付けられている。なお、バネ１４に代えてゴムやスポンジ等の反撥体を用いても良い。
【００２７】
このような構成としたことで、利用者が便座又は便座シートの粘着部材１１上に座していない場合は、粘着剤１５が取り付けられている接触部１６が常に便座又は便座シートよりも少し突出した状態となっているが、利用者が便座又は便座シートの粘着部材１１上に座した場合は、その臀部の押圧により押し下げられ、図３に示すように、支持部１２により受部１３も押し下げられて、接触部１６は台座１０の上部と略同一平面となる位置まで移動することになる。その結果、突起した粘着部材が臀部に接触することによる異物感を和らげられ、また、便座又は便座シートをカセット側に上げる際には接触部１６が突出しているため、便座カバーとの面接触が確実に行われることになる。
【００２８】
なお、図２及び図３に示した実施例では、台座１０の下部にもバネ１７が取り付けられているが、これは座り心地を向上するためクッション性を持たせた便座シートを用いた場合に、台座１０自体が沈み込んでしまうことで、前記した機能が滅却されてしまう虞を回避するためのものである。バネ１７は便座シート内の底部に固定されており、利用者が便座シート上に座した際に台座１０が沈み込んでしまうこのないよう、常に台座１０を上方に押し上げるよう作用している。
【００２９】
【発明の効果】
本発明は如上の構成とした結果、利用者が座した際に容易に破損しない程度の強度を備えており、且つ、粘着剤との接触によっても紙粉が付着しないよう表面が平滑化された便座カバー用ペーパーを得ることができた。また、該ペーパーを用いた便座カバーの度重なる接触によっても粘着力が低下しないだけでなく、取り付けや取り外しが確実に行え、更に、利用者がその上部に座した際にも異物感のない粘着部材を得ることができた。
【図面の簡単な説明】
【図１】便座又は便座シートに埋設された台座に取り付けられた粘着部材の実施例を示す側部断面図である。
【図２】上下動可能とした粘着部材の実施例を示す側部断面図である。
【図３】図２の粘着部材が押し下げられた状態を示す側部断面図である。
【符号の説明】
１　　粘着部材
２　　接触部
３　　便座又は便座シート
４　　便座又は便座シートの表面
５　　台座
６　　支持部
７　　溝
８　　溝部
９　　粘着剤
１０　　台座
１１　　粘着部材
１２　　支持部
１３　　受部
１４　　バネ
１５　　粘着剤
１６　　接触部
１７　　バネ
【図１】
2004016699.tif 000005
【図２】
2004016699.tif 000006
【図３】
2004016699.tif 000007